(57)【特許請求の範囲】
【請求項１】
（ａ）セットされた光ディスク(11)を回転駆動する回転駆動手段、
（ｂ）前記回転駆動手段にセットされた光ディスク(11)において音声ファイル及び画像ファイルの長さ合計が光ディスク(11)内の全ファイルの長さ合計の所定値以上を占めているとき及びそうでないときに該光ディスク(11)についてはそれぞれシーケンシャルアクセス及びランダムアクセスが有利と判定するアクセス方式判定手段(20)、及び
（ｃ）前記アクセス方式判定手段(20)がそれぞれシーケンシャルアクセス及びランダムアクセスを有利と判定としたとき前記回転駆動手段による前記光ディスク(11)の回転方式をそれぞれＣＬＶ及びＣＡＶへ切替える切替手段(21,26)、
を有していることを特徴とする光ディスク用データ読み出し装置。
【請求項２】
（ａ）セットされた光ディスク(11)を回転駆動する回転駆動手段、
（ｂ）前記回転駆動手段にセットされた光ディスク(11)における各ファイルの長さを調べ所定値以上の長さの全ファイルの長さ合計が該光ディスク(11)内の全ファイルの長さ合計の所定値以上を占めているとき及びそうでないときに該光ディスク(11)についてはそれぞれシーケンシャルアクセス及びランダムアクセスが有利と判定するアクセス方式判定手段(20)、及び
（ｃ）前記アクセス方式判定手段(20)がそれぞれシーケンシャルアクセス及びランダムアクセスを有利と判定としたとき前記回転駆動手段による前記光ディスク(11)の回転方式をそれぞれＣＬＶ及びＣＡＶへ切替える切替手段(21,26)、
を有していることを特徴とする光ディスク用データ読み出し装置。
【発明の詳細な説明】
【０００１】
【発明の属する技術分野】
この発明は、ＣＤ（Ｃｏｍｐａｃｔ  ＤｉｓｋやＤＶＤ（Ｄｉｇｉｔａｌ  Ｖｅｒｓｉｔｉｌｅ  Ｄｉｓｋ等の光ディスクからデータを読み出す光ディスク用データ読み出し装置に係り、詳しくはデータの読み出しを改善する光ディスク用データ読み出し装置に関するものである。
【０００２】
【従来の技術】
ＣＤやＤＶＤからデータを読み出す光ディスクプレーヤや光ディスクドライブにおけるディスクの回転方式には、ＣＬＶ（Ｃｏｎｓｔａｎｔ  Ｌｉｎｅａｒ  Ｖｅｌｏｃｉｔｙ）とＣＡＶ（Ｃｏｎｓｔａｎｔ  Ａｎｇｕｌａｒ  Ｖｉｌｏｃｉｔｙ）とがある。従来の光ディスクプレーヤ又は光ディスクドライブでは、個々に回転方式をＣＬＶ及びＣＡＶのいずれか一方に固定されている。
【０００３】
【発明が解決しようとする課題】
音声や映像を再生する光ディスクプレーヤでは、光ディスクよりデータを連続して長く読み出すことになり、光ディスクの回転方式はシーケンシャルアクセスに適したＣＬＶの方が有利であるのに対して、パソコンにおけるデータ読み出しに利用される光ディスクドライブでは、例えば辞書ＣＤ−ＲＯＭからのデータ読み出しのように、多数の短いファイルを頻繁に読み出す場合には、回転方式がＣＬＶであると、データを読み出そうとするファイルが記録されているディスク半径方向のトラック位置が変化するごとに、スピンドルモータの回転速度を増減する必要があり、伝送レートの低下に繋がるとともに、回転速度の変動に因るスピンドルモータの負担増大及び消費電力増大に繋がり、ＣＡＶの方が有利である。
【０００４】
この発明の目的は、光ディスクからデータを読み出す光ディスク用データ読み出し装置において、データ読み出しを改善することである。
【０００５】
【課題を解決するための手段】
この発明の光ディスク用データ読み出し装置（１０）は次の（ａ）及び（ｂ）を有している。
（ａ）セットされた光ディスク（１１）を回転駆動する回転駆動手段
（ｂ）回転駆動手段による光ディスク（１１）の回転方式をＣＬＶ又はＣＡＶへ切替える切替手段（２１，２６）
【０００６】
切替手段（２１，２６）におけるＣＬＶ又はＣＡＶへの切替は、自動的な切替だけでなく、ユーザによる手動操作による切替も含む。光ディスク（１１）には、少なくともＣＤ及びＤＶＤが含まれる。光ディスク用データ読み出し装置（１０）には、音声又は映像を再生する光ディスクプレーヤだけでなく、パソコンのデータ読み出しに利用される光ディスクドライブを含む。光ディスク用データ読み出し装置（１０）は、ＣＤ専用のデータ読み出し装置や、ＤＶＤ専用のデータ読み出し装置であってもよいし、ＣＤ及びＤＶＤ兼用の光ディスク用データ読み出し装置であってもよい。また、切替手段（２１，２６）による回転方式のＣＬＶ又はＣＡＶへの切替は、光ディスク（１１）ごとに行なっていもよいし、１個の光ディスク（１１）について、ある状況ではＣＬＶに、別のある状況ではＣＡＶと言うように、状況に応じて切替えることも含む。
【０００７】
このように、光ディスク用データ読み出し装置（１０）は、光ディスク（１１）の回転方式がＣＬＶ又はＣＡＶに固定されず、ＣＬＶ及びＣＡＶを選択できるので、回転駆動手段にセットした光ディスク（１１）について、適切な方の回転方式でデータ読み出しして、伝送レートの向上、回転駆動手段の増減速回数抑制に因る回転駆動手段の負担軽減及び電力節約を図ることができる。
【０００８】
この発明の光ディスク用データ読み出し装置（１０）は次の（ａ）〜（ｃ）を有している。
（ａ）セットされた光ディスク（１１）を回転駆動する回転駆動手段
（ｂ）回転駆動手段にセットされた光ディスク（１１）のデータ読み出しについてシーケンシャルアクセス及びランダムアクセスのいずれが有利かを判定するアクセス方式判定手段（２０）
（ｃ）アクセス方式判定手段（２０）がそれぞれシーケンシャルアクセス及びランダムアクセスを有利と判定としたとき回転駆動手段による光ディスク（１１）の回転方式をそれぞれＣＬＶ及びＣＡＶへ切替える切替手段（２１，２６）
【０００９】
光ディスク用データ読み出し装置（１０）は、光ディスク（１１）の回転方式がＣＬＶ又はＣＡＶに固定されず、ＣＬＶ及びＣＡＶを選択できるようになっている。そして、アクセス方式判定手段（２０）が、回転駆動手段にセットされた光ディスク（１１）について、その光ディスク（１１）からのデータ読み出しがＣＬＶ及びＣＡＶのいずれが有利かを判定して、適切な方の回転方式に従って光ディスク（１１）からのデータ読み出しが実施されるので、伝送レートの向上、回転駆動手段の増減速回数抑制に因る回転駆動手段の負担軽減及び電力節約を図ることができる。
【００１０】
この発明の光ディスク用データ読み出し装置（１０）によれば、アクセス方式判定手段（２０）は、光ディスク（１１）の種類に基づいてシーケンシャルアクセス及びランダムアクセスのいずれが有利かの判定を行なう。
【００１１】
光ディスク（１１）の種類には、例えば、ＣＤには、ＣＤ−ＡＵＤＩＯ、ＶＣＤ（Ｖｉｄｅｏ  ＣＤ）、ＣＤ−ＥＸＴＲＡ（ＣＤエキストラ：ＣＤの内周側及び外周側がそれぞれオーディオデータエリア及びＲＯＭエリアとなっているもの）、フォトＣＤ（写真ＣＤ）、及びＣＤ−ＲＯＭがある。また、ＤＶＤには、ＤＶＤ−ＶＩＤＥＯ、ＤＶＤ−ＡＵＤＩＯ、及びＤＶＤ−ＲＯＭがある。光ディスク（１１）の種類は、リードインゾーンのコントロールデータ領域やＴＯＣを調べることにより判明する。ＣＤ−ＲＯＭやＤＶＤ−ＲＯＭの中には、ランダムアクセスに適したＣＡＶの方が有利である場合があるので、光ディスク（１１）の種類がＣＤ−ＲＯＭやＤＶＤ−ＲＯＭであるときには、一律に、又はさらに内部のファイル内容等を検討してから、回転方式をＣＡＶとする。
【００１２】
この発明の光ディスク用データ読み出し装置（１０）によれば、アクセス方式判定手段（２０）は、光ディスク（１１）に記録されているファイルの種類、長さ、及び／又は個数に基づいてシーケンシャルアクセス及びランダムアクセスのいずれが有利かの判定を行なう。
【００１３】
ＣＤ−ＲＯＭやＤＶＤ−ＲＯＭに記録されているファイルの種類は、例えば拡張子より判別される。ＣＤ−ＲＯＭのデータ構造はＩＳＯ９６６０に従って定義されており、ＤＶＤ−ＲＯＭのデータ構造はＵＤＦ  Ｂｒｉｄｇｅに従って定義されている。データ構造をメモリに読込んでから、どのような種類のファイルが記録されているかを検出することができる。音声ファイルの拡張子はＷＡＶ、画像ファイルの拡張子はＢＭＰやＪＰＧとなっている。音声ファイルや画像ファイルは、長いので、それらを読み出すときは、シーケンシャルアクセスとした方が有利となるので、それらの長さ（＝サイズ）合計が光ディスク（１１）内の全ファイルの長さ合計の所定値以上を占めている光ディスク（１１）については、光ディスク（１１）の回転方式をＣＬＶにするが、そうでないときは、ＣＡＶとする。また、各ファイルの長さを調べ、所定値以上の長さの全ファイルの長さ合計が光ディスク（１１）内の全ファイルの長さ合計の所定値以上を占めている光ディスク（１１）については、光ディスク（１１）の回転方式をＣＬＶにするが、そうでないときは、ＣＡＶとしてもよい。さらに、光ディスク（１１）に記録されているファイルの個数を調べ、個数が所定値以上であるときは、ランダムアクセスが有利と判断し、回転方式をＣＡＶとし、所定値未満であるときは、シーケンシャルアクセスが有利と判断して、回転方式をＣＬＶとしてもよい。
【００１４】
【発明の実施の形態】
以下、発明の実施の形態について図面を参照して説明する。
図１はＣＤ・ＤＶＤ兼用データ読み出し装置１０の主要部の構成図である。ピックアップ１２は、１個のレーザ光源からの光ビーム（以下、「メインの光ビーム」と言う。）をホログラムに通過させることにより新たに例えば６個のサブの光ビームを生成するようになっている。メインの１個の光ビームと新たに生成された６個のサブの光ビームとの計７個の光ビームが、光ディスク１１の半径方向へ連続して並ぶ７個の異なるトラックに照射され、各反射光がピックアップ１２の光検出器（図示せず）にそれぞれ入射される。メインの光ビームの反射光を入射された光検出器の出力は、フォーカスサーボ及びトラッキングサーボのエラー信号として使用するために、ＲＦ信号処理ブロック１３へ入力される。サブの光ビームの反射光を入射された光検出器の計６個のＲＦ信号は、ＥＱ（イコライザ）−ＡＭＰ１４へ送られて、波形等化されつつ、増幅される。ＰＬＬブロック１５は、ＥＱ−ＡＭＰ１４からのサブの光ビームに係る計６個のＲＦ信号と、ＲＦ信号処理ブロック１３からのメインの光ビームに係る１個のＲＦ信号との計７個のＲＦ信号をＰＬＬ（Ｐｈａｓｅ  Ｌｏｃｋｅｄ  Ｌｏｏｐ）処理によりチャンネルクロック信号を生成するとともに、計７個のＥＦＭ信号を生成し、これらチャンネルクロック信号及びＥＦＭ信号を復調部１６へ送る。復調部１６では、ＭＵＸ（マルチプレクサ）により各チャンネルのＥＦＭ信号を集めてシリアルデータとし、その後、ＥＦＭ復調され、ＥＣＣ（Ｅｒｒｏｒ  Ｃｏｒｒｅｃｔｉｏｎ  Ｃｏｄｅ：エラー訂正及びデスクランブル）処理される。復調部１６のＡＴＡＰＩインターフェース（ＡＴ  Ａｔｔａｃｈｍｅｎｔ  Ｐａｃｋｅｔ  Ｉｎｔｅｒｆａｃｅ）ＩＣのレジスタには、光ディスク１１の記録されているリードイン情報が書込まれる。なお、ＡＴＡＰＩインターフェースはパソコン（図示せず）とのデータ送受用に使用される。ＣＰＵ２０は、そのレジスタの内容を読込んで、光ディスク１１の種類、各ファイルの長さを検出し、サーボプロセッサ２１及びＤＶＤ−ＤＳＰ２６へＣＡＶ及びＣＬＶの切替信号を送る。ＤＶＤ−ＤＳＰ２６は、メモリ２７に適宜、データを読み書きし、処理を行なう。ＣＰＵ２０は、さらに、サーボプロセッサ２１へトレーの開閉指示やスレッド（光ディスク１１の半径方向へ光ディスク１１のｄ移動）の指示を出す。サーボプロセッサ２１は、ドライバ２２を駆動して、トレー開閉用アクチュエータ及びスレッド用アクチュエータを制御する。モータドライバ２８は、光ディスク１１を回転駆動するスピンドルモータ（図示せず）への駆動電流を増減して、スピンドルモータの回転速度を制御する。光ディスク１１がＣＤである場合の、光ディスク１１のＣＬＶ制御のための制御信号はサーボプロセッサ２１からモータドライバ２８へ送られる。光ディスク１１がＤＶＤである場合の、光ディスク１１のＣＬＶ制御のための制御信号はＤＶＤ−ＤＳＰ２６からモータドライバ２８へ送られる。モータドライバ２８は、スピンドルモータの回転速度に比例する周波数のＦＧ信号をサーボプロセッサ２１へ送る。光ディスク１１をＣＡＶ制御するときは、サーボプロセッサ２１は、モータドライバ２８からのＦＧ信号をフィードバック信号として���ータドライバ２８へスピンドルモータの回転速度を増減して、所望の回転速度を達成する。
【００１５】
図２はＤＶＤの種類とモータ制御との関係を示している。ＤＶＤには、ＤＶＤ−ＶＩＤＥＯ、ＤＶＤ−ＡＵＤＩＯ、及びＤＶＤ−ＲＯＭがあり、ＤＶＤ−ＶＩＤＥＯ及びＤＶＤ−ＡＵＤＩＯの場合には、一律にＣＬＶモータ制御とされる。ＤＶＤ−ＲＯＭの場合は、後述のように、それに記録されているファイルの種類等に応じてＣＬＶモータ制御又はＣＡＶモータ制御が行われる。
【００１６】
図３はＣＤの種類とモータ制御との関係を示している。ＣＤには、ＣＤ−ＡＵＤＩＯ、ＶＣＤ（Ｖｉｄｅｏ  ＣＤ）、ＣＤ−ＥＸＴＲＡ（ＣＤエキストラ：ＣＤの内周側及び外周側がそれぞれオーディオデータエリア及びＲＯＭエリアとなっているもの）、フォトＣＤ（写真ＣＤ）、及びＣＤ−ＲＯＭかある。ＣＤ−ＡＵＤＩＯ、ＶＣＤ、ＣＤ−ＥＸＴＲＡ、フォトＣＤの場合には、一律にＣＬＶモータ制御とされる。ＣＤ−ＲＯＭの場合は、後述のように、それに記録されているファイルの種類等に応じてＣＬＶモータ制御又はＣＡＶモータ制御が行われる。
【００１７】
ＤＶＤ−ＲＯＭ及びＣＤ−ＲＯＭであるときのＣＬＶモータ制御かＣＡＶモータ制御かの判断は次のように行われる。復調部１６のＡＴＡＰＩインターフェースＩＣのレジスタには、ＣＤ・ＤＶＤ兼用データ読み出し装置１０への光ディスク１１のセットに伴い、その光ディスク１１のリードインゾーンが読込まれて、ＤＶＤ−ＲＯＭ及びＣＤ−ＲＯＭの全ファイルの名称、サイズ等のリストが書込まれる。ＣＰＵ２０はこのリストを参照し、光ディスク１１のファイルの拡張子よりファイルの種類を検出する。例えば、音声ファイルの拡張子には、ＷＡＶ等があり、画像ファイルの拡張子には、ＢＭＰ及びＪＰＧ等がある。このような音声ファイル及び画像ファイルは、サイズか長く、連続的なファイル構造となっているので、これらファイルを読み出すときは、シーケンシャルアクセスで読み出した方が伝送レートが増大する。したがって、（ａ）音声ファイル及び画像ファイルの合計サイズが光ディスク１１の全ファイルの合計サイズに対する割合が所定値以上のときか、（ｂ）音声ファイル及び画像ファイルの合計個数が光ディスク１１の全ファイルの合計個数に対する割合が所定値以上のときか、又は（ｃ）連続的なファイル構造のファイルの個数が所定値以上であるときかでは、ＣＬＶモータ制御とし、そうでないときは、すなわち、（ａ）でないときか、（ｂ）でないときか、又は（ｃ）でないときかでは、ＣＡＶモータ制御とする。
【図面の簡単な説明】
【図１】ＣＤ・ＤＶＤ兼用データ読み出し装置１０の主要部の構成図である。
【図２】ＤＶＤの種類とモータ制御との関係を示す図である。
【図３】ＣＤの種類とモータ制御との関係を示す図である。
【符号の説明】
１０    ＣＤ・ＤＶＤ兼用データ読み出し装置（光ディスク用データ読み出し装置）
１１    光ディスク
２０    ＣＰＵ（アクセス方式判定手段、切替手段）
２１    サーボプロセッサ（切替手段）
２６    ＤＶＤ−ＤＳＰ（切替手段）
【図１】
0003559836.tif 000002
【図２】
0003559836.tif 000003
【図３】
0003559836.tif 000004